(57)【要約】  脇下に対応する大きさのパッドと、パッドが１つ以上着脱可能なケースと、ケースに取り付けられている肩掛け用のストラップと、を備え、肩の痛みをやわらげることができ、かつ、使用による筋肉の低下を招かない肩用健康具を提供する。パッドは、０．２５ｃｍ以上の厚さであり、ケースに対して１枚乃至複数枚が装着可能とするとよい。パッドは、布製、樹脂製、木製、セラミック製、又は、金属製とすることができる。ケースは、パッドが１枚装着された状態での最厚箇所が３ｃｍ未満とするとよい。ケースは、パッドが収容されるポケット、又は、パッドが添付される面ファスナーを有するとよい。ケースは、繊維製、又は、樹脂製とすることができる。ストラップはどちらの肩にかけてもよく、また、ストラップに代えて装着者又はその着衣に粘着部により貼り付けてもよい。
2017010377.tif 000002
【特許請求の範囲】
【請求項１】
脇下に対応する大きさのパッドと、  前記パッドが１つ以上着脱可能なケースと、  を備える肩用健康具。
【請求項２】
前記パッドは、０．２５ｃｍ以上の厚さであり、前記ケースに対して１枚乃至複数枚が装着可能である、請求項１記載の肩用健康具。
【請求項３】
前記パッドは、布製、樹脂製、木製、セラミック製、又は、金属製である、請求項１記載の肩用健康具。
【請求項４】
前記ケースは、前記パッドが１枚装着された状態での最厚箇所が３ｃｍ未満である、請求項１記載の肩用健康具。
【請求項５】
前記ケースは、前記パッドが収容されるポケット、又は、前記パッドが添付される面ファスナーを有する、請求項１記載の肩用健康具。
【請求項６】
前記ケースは、繊維製、又は、樹脂製である、請求項１記載の肩用健康具。
【請求項７】
前記ケースに取り付けられている肩掛け用のストラップを備え、当該前記ストラップは、肩用健康具本体の装着側の肩に掛けられ、又は、肩用健康具本体の装着側の肩と反対側の肩に掛けられる、請求項１記載の肩用健康具。
【請求項８】
前記ケースは、粘着部を備え、当該粘着部は、肩用健康具本体の装着者又はその着衣に貼られる、請求項１記載の肩用健康具。 
【発明の詳細な説明】
【技術分野】
【０００１】  本発明は、肩用健康具に関し、特に、肩関節周囲炎による痛みを緩和するための肩用健康具に関する。
【背景技術】
【０００２】  特許文献１には、簡単に利用できて肩こりや肩痛の軽減促進に有効な肩用健康具として、ブロック体の正面壁に半円筒状凹面を形成して腕受容部とし、背面壁の上半部は両端の縁部よりもわずかにオフセットした平面部を脇腹受容部とし、平面部の下方は傾斜面としてある、脇下に挟んで用いる肩用健康具について開示されている。さらに、特許文献１には、腕受容部と脇腹受容部間の最小離間距離は、３ｃｍ〜８ｃｍが好ましい旨が記載されている。【特許文献１】特開２００６−３４３０７号公報
【発明の開示】
【発明が解決しようとする課題】
【０００３】  しかし、特許文献１に記載されている肩用健康具は、腕受容部と脇腹受容部との間の最小離間距離が３〜８ｃｍであることを好ましいとされているが、これより短い場合、つまり、肩用健康具が、これより薄い場合が好ましいこともある。特に、肩関節部の障害がほぼ回復している場合には、健常者がこの種の器具を全く用いないことを対比すると、より薄いことが好ましい。【０００４】  また、特許文献１に記載されている肩用健康具は、腕受容部が半円筒状凹面を有し、かつ、脇腹受容部が平面部を有している。そして、半円筒状凹面が装着者の腕に当接し、かつ、平面部が装着者の脇腹付近に当接するように構成されているが、これでは、装着者の腕の動きが制限され、この結果、腕及び肩の稼働域、稼働量が少なくなることで、肩周りの筋肉等の低下を招きかねない。【０００５】  そこで、本発明は、肩関節部に障害を抱える者の視点に立ち、肩関節部の障害の程度に応じて、肩の痛みをやわらげることができ、かつ、使用による筋肉の低下を招かない肩用健康具を提供することを課題とする。
【課題を解決するための手段】
【０００６】  上記課題を解決するために、本発明の肩用健康具は、  脇下に対応する大きさのパッドと、  前記パッドが一つ以上着脱可能なケースと、  を備える。【０００７】  前記パッドは、０．２５ｃｍ以上の厚さであり、前記ケースに対して１枚乃至複数枚が装着可能とするとよい。前記パッドは、布製、樹脂製、木製、セラミック製、又は、金属製とすることができる。【０００８】  前記ケースは、前記パッドが１枚装着された状態での最厚箇所が３ｃｍ未満とするとよい。前記ケースは、前記パッドが収容されるポケット、又は、前記パッドが添付される面ファスナーを有するとよい。前記ケースは、繊維製、又は、樹脂製とすることができる。【０００９】  前記ケースに取り付けられている肩掛け用のストラップを備えてもよく、前記ストラップは、肩用健康具本体の装着側の肩に掛けられ、又は、肩用健康具本体の装着側の肩と反対側の肩に掛けられるようにすればよく、加えて、胴回りに肩用健康具本体を固定するものを含めてもよい。【００１０】  或いは、前記ケースは、粘着部を備え、当該粘着部は、肩用健康具本体の装着者又はその着衣に貼られるようにしてもよい。
【図面の簡単な説明】
【００１１】
【図１】本発明の実施形態の肩用健康具の模式的な構成図である。
【図２】図１のケース１００にパッド２００を装着する状態を示す図である。
【図３】図１に示す肩用健康具の変形例を示す図である。
【図４】図１に示す肩用健康具の別の変形例を示す図である。
【符号の説明】
【００１２】  １００  ケース  ２００  パッド  ３００  ストラップ  ４００  カバー
【発明の実施の形態】
【００１３】  以下、本発明の実施形態について図面を参照して説明する。なお、各図において、同様の部分には、同一符号を付している。
【００１４】  図１（ａ）は、本発明の実施形態の肩用健康具の模式的な構成を示す斜視図である。図１（ｂ）は、図１（ａ）の正面図である。図１（ｃ）は、図１（ａ）の側面図である。図１には、以下説明する、ケース１００と、ストラップ３００と、カバー４００と、面ファスナー４５０とを示している。
【００１５】  図２（ａ）〜図２（ｃ）は、図１のケース１００にパッド２００を装着する状態を示す図である。図２（ａ）には、カバー４００を開けてポケット部１５０内に１枚のパッド２００を挿入する状態を示している。図２（ｂ）には、ポケット部１５０内に１枚のパッド２００を挿入してからカバー４００を閉めた状態を示している。図２（ｃ）には、図２（ａ）の変形例としてケース１００に３枚パッド２００を装着する状態を示す図である。
【００１６】  まず、ケース１００は、後述するように、パッド２００が１枚以上着脱可能なものである。本実施形態のケース１００は、その上部からパッド２００を収容するためのポケット部１５０が設けられている。ポケット部１５０の開口部は、図１に示す例では、ケース１００の上部となるように構成しているが、これに限定されずに、例えば、ケース１００の側部となるように構成してもよい。
【００１７】  もっとも、ケース１００には、パッド２００を収容しなくとも、パッド２００を取り付けられるようにしてもよいので、例えば、ケース１００の側面に面ファスナーのフックとループとの一方を取り付け、パッド２００の側面にも面ファスナーのフックとループとの他方を取り付けることで、これを実現してもよい。
【００１８】  また、ケース１００は、パッド２００が１枚装着された状態での最厚箇所が３ｃｍ未満としている。これにより、肩関節周囲炎などが治まり、肩関節部の障害がほぼ回復している場合であっても、引き続き、肩関節部の障害が回復するまで、本実施形態の肩用健康具の使用を継続することができる。また、ケース１００は、幅が例えば７ｃｍ〜１０ｃｍ、高さが例えば６ｃｍ〜８ｃｍ程度となるようにしている。こうすると、脇下に対して肩用健康具のフィット感を高めることができる。
【００１９】  さらに、ケース１００は、伸縮性のある、繊維製、又は、樹脂製としている。一例として、綿、毛、絹、麻等の繊維、ポリエステル、アクリル、アセテート、ナイロン、ポリウレタン等の合成繊維などが挙げられる。また、これらに限定されるものではないが、通気性を考慮してメッシュ素材を用いたり、汗の吸収を考慮してタオル地又は麻織物を用いたり、洗濯、洗浄又は装着した状態での入浴などを考慮して木綿製又はポリエチレンなどの柔らかいプラスチックなどの樹脂製としたり、これらの幾つか組み合わせたりといった、様々な対応が可能である。
【００２０】  もっとも、本実施形態のケース１００は、パッド２００の着脱、とりわけ、パッド２００の装着枚数の多少に対応できるようにするために、柔らかい素材であることが必要である。また、選択的に脇汗を吸収するシートを取り付け、又は、貼付できるようにしてもよい。
【００２１】  パッド２００は、脇下に対応する大きさのものである。ここでは、パッド２００は、略平板状のものを示している。パッド２００は、例えば、０．２５ｃｍ以上の厚さとしている。例えば、パッド２００の厚さが０．２５ｃｍのものを用いた場合には、ケース１００の厚みとの総計は、ケース１００の素材にもよるが、５ｍｍ程度で済む。
【００２２】  パッド２００は、相対的に厚みがあるものを１枚使用してもよいし、相対的に厚みのないものを複数枚使用してもよいし、異なる厚みのものを複数枚使用してもよい。つまり、本実施形態では、パッド２００自体の厚み、或いは、パッド２００の使用枚数によって、肩用健康具の厚さをコントロールできるようにしている。
【００２３】  したがって、例えば、肩関節周囲炎がひどい場合には、パッド２００の使用枚数を多くし、その後、肩関節周囲炎の症状が改善して痛みが治まっていくにつれて、パッド２００の使用枚数を段階的に減らしていけば、肩関節周囲炎が完治するころには、肩用健康具を使用しなくてもよくなる。
【００２４】  また、パッド２００は、布製、樹脂製、木製、セラミック製、又は、金属製とすることができる。本実施形態では、肩関節周囲炎の症状如何によって、パッド２００の硬度を選択できるように、様々な素材を用いている。一例として、布、紙、発砲スチロール、シリコン、合成樹脂、合成繊維、ゴム、木材、綿生地、タオル地などが挙げられる。
【００２５】  なお、パッド２００及びケース１００は、光触媒或いは銀イオンなどの抗菌素材と組み合わせたものとすることも一法である。また、パッド２００及びケース１００は、いずれも
【００２６】  さらに、パッド２００の形状は、パッド２００をポケット１５０に収容するタイプの場合には、図２に示すように平板状であると好ましい。一方、例えば、パッド２００をケース１００の側面に取り付けるタイプの場合には、長手方向の直交断面が略長方形型、略楕円型、卵型など、どのような形状としてもよい。さらには、パッド２００は、特定の形状を有しなくてもよく、例えば、小粒状の発泡スチロール、ビニール、ゴムなどが内包された袋状パッドとすることもできる。
【００２７】  ストラップ３００は、ケース１００に取り付けられている肩掛け用のものである。ストラップ３００は、肩用健康具本体の装着側の肩に掛けられるようにしてもよいし、肩用健康具本体の装着側の肩と反対側の肩に掛けられるようにしてもよい。また、これらを装着者が自由に選択できるように、ストラップ３００自体の長さを変更できるようにするとよい。
【００２８】  また、ストラップ３００は、１本だけではく、いずれの肩にも掛けられるように２本にしてもよいし、加えて、胴回りに肩用健康具本体を固定するものを含めてもよい。さらに、ストラップ３００が複数本ある場合には、それらのうちのいくつかは、ケース１００に対して着脱可能な構成としてもよい。
【００２９】  さらに、ストラップ３００の素材は、特に限定されるものではないが、ケース１００と同様に、繊維製、又は、樹脂製とすることができるし、他の素材とすることもできる。一例としては、コールゴム、織ゴム、編ゴムなどが挙げられる。
【００３０】  カバー４００は、ケース１００と一体となっており、パッド２００をポケット部１５０に収容した後に、パッド２００が離脱することを防止するものである。カバー４００は、必ずしも必要なものではない。
【００３１】  すなわち、ポケット部１５０の内側と、パッド２００における対応位置とを、面ファスナーなどによって留められるようにしてもよい。また、ケース１００自体が伸縮性のある素材から成る場合には、その伸縮性によってパッド２００が離脱することを防止できるので、カバー４００或いは、その代用部分を設けることも不要である。
【００３２】  ケース１００は、伸縮性のある素材を用いているため、図２（ｂ）に示すように１枚のパッド２００を挿入する場合であっても、図２（ｃ）に示すように３枚のパッド２００を挿入する場合であっても対応可能である。
【００３３】  したがって、例えば、肩関節周囲炎が発症した直後には、図２（ｃ）に示すように、相対的に多くの枚数のパッド２００を用いるようにし、その後、肩関節周囲炎の症状が改善した場合には、図２（ａ）に示すように、相対的に少ない枚数のパッド２００を用いるようにすることができる。
【００３４】  図３は、図１の肩用健康具の装着例を示す図である。図３には、図１に示す肩用健康具を装着者の左脇部分に装着し、かつ、ストラップ３００を装着者の右肩に斜め掛けした状態を示している。
【００３５】  もっとも、ストラップ３００の長さを図３の状態よりも短くなるように調整して、図１に示す肩用健康具を装着者の左脇部分に装着し、かつ、ストラップ３００を装着者の左肩に掛けてもよい。
【００３６】  或いは、ストラップ３００の長さを図３の状態よりも長くなるように調整して、図１に示す肩用健康具を装着者の左脇部分に装着し、かつ、ストラップ３００を装着者の胴回りに引き回してもよい。
【００３７】  又は、これらの幾つかを組み合わせて、例えばストラップを装着者の右肩に斜め掛けし、かつ、左肩に掛けた態様としてもよい。
【００３８】  図４は、図１に示す肩用健康具の別の変形例を示す図である。図４に示す肩用健康具は、ケース１００が図２のようにポケット部１５０を有しておらず、ケース１００とカバー４００との間に、パッド２００を着脱可能な構成としている。
【００３９】  パッド２００は、必ずしも取り付ける必要はなく、パッド２００のない状態で使用することもできる。パッド２００の取り付けは、例えば、パッド２００の一方の面に面ファスナーのフックを取り付け、他方の面に面ファスナーのループを取り付けることで実現すればよい。また、パッド２００は複数枚取り付けられるようにしてもよい。
【００４０】  以上説明したように、本実施形態の各肩用健康具は、装着者が症状の重軽に応じた枚数のパッド２００の着脱を可能としているので、肩関節部に障害を抱える者の視点に立ち、肩関節部の障害の程度に応じて、肩の痛みをやわらげることができ、かつ、使用による筋肉の低下を招かないようにすることができる。
【００４１】  また、本実施形態では、ストラップ３００を備える肩用健康具を例に説明したが、これに代えて、両面粘着シートなど粘着部を用意して、この一方の面をケース１００の表面に貼付して、他方の面を装着者の肌又は装着者が着用しているシャツなどの下着などに対して貼付することによって、肩の痛みをやわらげることも可能である。こうすると、ストラップ３００の長さ調整なども不要となるし、肩用健康具の位置ズレも回避することができる。 
【図１】
2017010377.tif 000003
【図２】
2017010377.tif 000004
【図３】
2017010377.tif 000005
【図４】
2017010377.tif 000006
【手続補正書】
【提出日】平成29年12月20日(2017.12.20)
【手続補正１】
【補正対象書類名】特許請求の範囲
【補正対象項目名】請求項１
【補正方法】変更
【補正の内容】
【請求項１】
脇下に対応する大きさのパッドと、
前記パッドが１つ以上着脱可能な又は取り付けられるケースと、
を備える肩用健康具であって、
前記ケースには、長さが変更可能な肩掛け用のひも状のストラップが取り付けられている、肩用健康具。
【国際調査報告】
2017010377.tif 000007
2017010377.tif 000008
2017010377.tif 000009
2017010377.tif 000010